(57)【要約】【課題】対向する一対の足場用建枠の両横材間に架け渡された足場板と両足場用建枠の縦材側との間の隙間を塞ぐことができると共に、作業床の有効面積を広くとることができる隙間塞ぎ板付き幅木を提供する。【解決手段】対向する一対の足場用建枠１，１の横材３，３間に架け渡された足場板４ｂと両足場用建枠１，１の縦材２，２側との間の隙間Ｓを塞ぐ隙間塞ぎ板５付きの幅木６であり、両横材３，３に係止される係止手段２０を両端部に備えた幅木本体８の内側面に、隙間Ｓを覆う塞ぎ板本体部９と、塞ぎ板本体部９の一側縁部から立ち上がる取付板部１０とからなる隙間塞ぎ板５の取付板部１０を着脱可能に取り付け、塞ぎ板本体部９の他側縁部を足場板４ｂ上に載置するようにした。【選択図】図１
2011032687.tif 000002
【特許請求の範囲】
【請求項１】
対向する一対の足場用建枠の横材間に架け渡された足場板と両足場用建枠の縦材側との間の隙間を塞ぐ隙間塞ぎ板付きの幅木であって、前記両横材に係止される係止手段を両端部に備えた幅木本体の内側面に、前記隙間を覆う塞ぎ板本体部と、塞ぎ板本体部の一側縁部から立ち上がる取付板部とからなる断面略Ｌ字状の隙間塞ぎ板の前記取付板部を着脱可能に取り付け、前記塞ぎ板本体部の他側縁部を足場板上に載置するようにした隙間塞ぎ板付き幅木。
【請求項２】
幅木本体の両端部には前記両横材に係止される係止手段を有する端部枠を設けてなる請求項１に記載の隙間塞ぎ板付き幅木。
【請求項３】
隙間塞ぎ板の前記取付板部を幅木本体に対し高さ調整可能に取り付けてなる請求項１又は２に記載の隙間塞ぎ板付き幅木。
【請求項４】
隙間塞ぎ板は、塞ぎ板本体部と取付板部との対向角度が鈍角になるように形成してなる請求項１〜３の何れかに記載の隙間塞ぎ板付き幅木。
【請求項５】
幅木を複数枚重ね合わせて梱包する時に重ね合わさった幅木本体の両端部に掛け回す梱包用帯鉄を通し入れるための帯鉄通し用切欠部を隙間塞ぎ板の両端部に夫々設けてなる請求項１〜４の何れかに記載隙間塞ぎ板付き幅木。
【発明の詳細な説明】
【技術分野】
【０００１】
本発明は、建設作業現場で枠組みされる仮設枠組足場において、対向する一対の足場用建枠の両横材間に架け渡された足場板と両足場用建枠の縦材側との間に形成される隙間を塞ぐ隙間塞ぎ板を取り付けた幅木に関する。
【背景技術】
【０００２】
在来の足場用建枠及び足場板を使用して、対向する足場用建枠の両横材間に足場板を架け渡した場合、その架け渡した足場板の一側端部と、両足場用建枠の縦材側（正確には、両足場用建枠の対向する縦材を結ぶライン）との間に隙間が生ずる。具体的に、例えば、スパンが９１４ｍｍの建枠を使用して、対向する一対の建枠の両横材間に、５００ｍｍ幅の足場板と２４０ｍｍ幅の足場板を並列に架け渡し、両足場板を互いに接する状態で一方の縦材側へ引き寄せると、他方の縦材側と足場板との間には、約１３０ｍｍ程度の隙間ができる。
【０００３】
足場板と建枠の縦材側との間に上記のような隙間ができると、作業者が足を踏み外すおそれがあって非常に危険であるために、従来では、その隙間に隣接する側の足場板の側端部上に幅木を起立状態に設置して、足を踏み外すことがないようにしている。
【発明の概要】
【発明が解決しようとする課題】
【０００４】
上記のように隙間に隣接する側の足場板の側端部上に幅木を設置することにより、一応の安全性は確保できるが、足場板の一側端部と両足場用建枠の縦材側との間の隙間分だけ作業床の有効面積が狭くなる、という問題がある。
【０００５】
本発明は、上記の事情に鑑み、対向する一対の足場用建枠の両横材間に架け渡された足場板と両足場用建枠の縦材側との間の隙間を塞ぐことができると共に、作業床の有効面積を広くとることができる隙間塞ぎ板付き幅木を提供することを目的とする。
【課題を解決するための手段】
【０００６】
上記課題を解決するための手段を、後述する実施形態の参照符号を付して説明すると、請求項１に係る発明は、対向する一対の足場用建枠１，１の横材３，３間に架け渡された足場板４と両足場用建枠１，１の縦材２，２側との間の隙間Ｓを塞ぐ隙間塞ぎ板５付きの幅木６であって、前記両横材３，３に係止される係止手段２０，５２を両端部に備えた幅木本体８の内側面に、前記隙間Ｓを覆う塞ぎ板本体部９と、塞ぎ板本体部９の一側縁部から立ち上がる取付板部１０とからなる隙間塞ぎ板５の前記取付板部１０を着脱可能に取り付け、前記塞ぎ板本体部９の他側縁部を足場板４上に載置するようにしたことを特徴とする。
【０００７】
請求項２は、請求項１に記載の隙間塞ぎ板付き幅木において、幅木本体８の両端部には前記両横材３，３に係止される係止手段を有する端部枠１８，１９，５１を設けてなることを特徴とする。
【０００８】
請求項３は、請求項１又は２に記載の隙間塞ぎ板付き幅木において、隙間塞ぎ板５の前記取付板部１０を幅木本体８に対し高さ調整可能に取り付けてなることを特徴とする。
【０００９】
請求項４は、請求項１〜３の何れかに記載の隙間塞ぎ板付き幅木において、隙間塞ぎ板５は、塞ぎ板本体部９と取付板部１０との対向角度θが鈍角になるように形成してなることを特徴とする。
【００１０】
請求項５は、請求項１〜４の何れかに記載の隙間塞ぎ板付き幅木において、幅木６を複数枚重ね合わせて梱包する時に重ね合わさった幅木本体８の両端部に掛け回す梱包用帯鉄４３を通し入れるための帯鉄通し用切欠部１７を隙間塞ぎ板５の両端部に夫々設けてなることを特徴とする。
【発明の効果】
【００１１】
上記解決手段による発明の効果を、後述する実施形態の参照符号を付して説明すると、請求項１に係る発明の隙間塞ぎ板５付き幅木６は、幅木本体８の内側面に、塞ぎ板本体部９と、この塞ぎ板本体部９の一側縁部から立ち上がる取付板部１０とからなる隙間塞ぎ板５の取付板部１０を取り付けたもので、係止手段２０，５２を対向する足場用建枠１，１の横材３，３に係止させて、塞ぎ板本体部９の他側縁部を足場板４上に載置するだけで、その隙間塞ぎ板５により、足場板４ｂと両足場用建枠１，１の縦材２，２側との間の隙間Ｓを塞ぐことができ、作業の安全を確保できると共に、作業床の有効面積を広くとることができる。
【００１２】
また、隙間塞ぎ板５は、幅木本体８に対し着脱可能に取り付けられるものであるから、破損したり、曲がりを生じた場合には、容易に交換や修理が可能となり、また発生する隙間Ｓの幅によって、幅木本体８に取り付ける隙間塞ぎ板５の幅を任意に選択できるため、隙間塞ぎ板５の交換だけで、隙間塞ぎ板５付き幅木６の適用範囲を拡大できる。また隙間塞ぎ板５が幅木本体８に対し着脱可能に取り付けられることから、隙間塞ぎ板５自体は必要以上の強度を要しないため、軽量で安価な隙間塞ぎ板５付きの幅木６を提供することが可能となる。
【００１３】
請求項２に記載のように、幅木本体８の両端部には、対向する足場用建枠１の横材３，３に係止される係止手段を有する端部枠１８，１９，５１を設けることによって、種々のタイプの隙間塞ぎ板５付き幅木６を提供することができる。
【００１４】
請求項３に記載のように、隙間塞ぎ板５の前記取付板部１０を幅木本体８に対し高さ調整可能に取り付けることによって、足場板４や足場用建枠１の横材３との位置関係によって隙間塞ぎ板５の取付高さを所望に調整することができる。
【００１５】
請求項４に記載のように、隙間塞ぎ板５を、塞ぎ板本体部９と取付板部１０との対向角度θが鈍角になるように形成することにより、梱包時に隙間塞ぎ板５付き幅木６どうしの重ね合わせを的確に行うことができて、コンパクトで安定した積層梱包が可能となる。
【００１６】
請求項５に記載のように、梱包用帯鉄４３を通し入れるための帯鉄通し用切欠部１７を隙間塞ぎ板５の両端部に設けておけば、隙間塞ぎ板５付き幅木６を複数重ね合わせて梱包する際に、この帯鉄４３を各隙間塞ぎ板５の両端部の帯鉄通し用切欠部１７に通し入れることにより、堅固な構造の幅木本体８のみを強く縛って強固に梱包することができる。
【図面の簡単な説明】
【００１７】
【図１】本発明に係る隙間塞ぎ板付き幅木の使用状態を示す平面図である。
【図２】(a) は同隙間塞ぎ板付き幅木の幅木本体と隙間塞ぎ板とが分離した状態の斜視図、(b) は隙間塞ぎ板を幅木本体に取り付けた状態の斜視図である。
【図３】幅木本体の内側面に隙間塞ぎ板を取り付けた状態の拡大側面図である。
【図４】隙間塞ぎ板付き幅木の一端部側の使用状態を示す斜視図である。
【図５】同隙間塞ぎ板付き幅木の他端部側の使用状態を示す斜視図である。
【図６】(a) は幅木の可動端部枠部分を幅木本体の内側から見た拡大正面図、(b) は(a) のＸ−Ｘ線断面図、(c) は(a) のＹ−Ｙ線断面図である。
【図７】(a) は隙間塞ぎ板を幅木本体に取り付ける他の取付方法を示すもので、幅木本体と隙間塞ぎ板とが分離した状態の斜視図、(b) は隙間塞ぎ板を幅木本体に取り付けた状態の斜視図である。
【図８】(a) は幅木を複数枚重ね合わせて梱包した状態の側面図、(b) は同状態の斜視図である。
【図９】他の実施形態による隙間塞ぎ板付き幅木の一端部側の使用状態を示す斜視図、(b) は同隙間塞ぎ板付き幅木の他端部側の使用状態を示す斜視図である。
【発明を実施するための形態】
【００１８】
以下に本発明の好適な一実施形態を図面に基づいて説明すると、本発明に係る隙間塞ぎ板５付き幅木６は、図１及び図２に示すように、対向する一対の足場用建枠１，１の横材３，３間に架け渡された足場板４（幅広足場板４ａ及び幅狭足場板４ｂのうち幅狭足場板４ｂ）と両足場用建枠１，１の縦材２，２側（両足場用建枠１，１間に対向する縦材２，２を結ぶライン）との間に形成される隙間Ｓを塞ぐように構成されたもので、足場用建枠１，１の両横材３，３に夫々係止される係止片２０（係止手段）を両端部に備えた幅木本体８の内側面に、前記隙間Ｓを覆う塞ぎ板本体部９と、この塞ぎ板本体部９の一側縁部から立ち上がる取付板部１０とからなる断面略Ｌ字状の隙間塞ぎ板５の前記取付板部１０を着脱可能に取り付け、塞ぎ板本体部９の他側縁部を足場板４ｂ上に載置するようになっている。尚、各足場板４ａ，４ｂは、両端部に夫々突設されたフックＦを横材３に係止させるようになっている。
【００１９】
隙間塞ぎ板５は、金属板をプレス加工して形成されたもので、塞ぎ板本体部９とこれの一側縁部からほぼ垂直に立ち上がる取付板部１０とからなり、図２，図３に示すように、塞ぎ板本体部９の他側縁部及び取付板部１０の上端部は夫々折り返し縁部９ｏ，１０ｏを形成しており、そして取付板部１０にはボルト挿通用の長孔１１が所要間隔おきに複数設けられている。この取付板部１０が取り付けられる幅木本体８の内側壁８ａには取付板部１０の長孔１１と対応する位置にボルト挿通孔１２が設けてある。
【００２０】
この隙間塞ぎ板５を幅木本体８に取り付けるには、図２の(a) 及び(b) に示すように、取付用のボルト１３を取付板部１０の各長孔１１から幅木本体８側の対応するボルト挿通孔１２に挿通して、そのボルト１３に幅木本体８の外側からナット１４を螺合締結すればよい（図３参照）。この場合、取付板部１０には長孔１１を設けているため、足場板４ｂや足場用建枠１の横材３との位置関係によって隙間塞ぎ板５の取付高さを所望に調整することができる。
【００２１】
また隙間塞ぎ板５は、図３に示すように、取付板部１０を幅木本体８の内側壁８ａに当接させた状態に取り付け、塞ぎ板本体部９を水平に延ばしてその端部側を足場板に載置させるため、塞ぎ板本体部９と取付板部１０との対向角度θは直角９０°でよいが、後述するように幅木６を複数枚重ね合わせて梱包する時のことを考慮し、その対向角度θが若干鈍角（９２〜９５°）になるように形成されている。
【００２２】
幅木本体８は、図３に示すように、内側壁８ａと、上壁部８ｂと、下壁部８ｃと、上下壁部８ｂ，８ｃから夫々内向きに突出するフランジ８ｄとにより断面略Ｃ字状に形成されていて、この幅木本体８の両端部には端部枠１８，１９が取り付けられている。各端部枠１８，１９は、図４及び図５に示すように、内外両側板ａ，ａと両側板ａ，ａをつなぐ連結板ｂとによって形成されるコ字枠からなるもので、その連結板ｂが幅木本体８の端面側に対向するように取り付けられ、そして両側板ａ，ａの夫々下端部には、足場用建枠１の横材３に係止される夫々略半円形状係止凹部２０ａ，２０ａを形成した係止片２０，２０（係止手段）が設けられている。
【００２３】
一端側の端部枠１８は、図２の(a) に概略示すように、その上端部側が幅木本体８に対し枢軸２２により枢着されて、下端部側の係止凹部２０ａ，２０ａが他端側の端部枠１９の係止凹部２０ａ，２０ａとの距離を短縮する後退方向に傾動可能な可動端部枠で、常時は板バネ２３（図６の(a) 参照）を介して幅木本体８の長手方向と直交する垂直姿勢に保持されている。
【００２４】
この可動端部枠１８の構造について更に説明すれば、図６の(a) 〜(c) に示すように、コ字枠からなる端部枠１８に、これよりも幅の狭いのコ字枠からなる取付枠２４を背中合わせ状態にリベット６２で固定し、このコ字枠状取付枠２４を、幅木本体８の対向端部に対しコ字枠深さ方向の半分程度嵌合した状態で、取付枠２４の上端部を枢軸２２によって幅木本体８の上端部に枢着する。
【００２５】
また図６の(a) に示すように、コ字枠状取付枠２４内には板バネ２３を挿入し、この板バネ２３の上端部２３ａを前記枢軸２２の上側を通って幅木本体８の上壁部８ｂ内面部に係止させた状態で、その下端部２３ｂを取付枠２４の内面下端部に弾接させ、更にコ字枠状取付枠２４の下端部には、内外方向に貫通する一定長さの長孔２７を、枢軸２２を曲率中心とする曲線に沿って設け、この長孔２７には幅木本体８側に固定したボルト２８を挿通して、可動端部枠１８の傾動範囲を規制すると共に、前記板バネ２３の付勢力によって端部枠１８を、常時は幅木本体８の長手方向と直交する垂直姿勢に保持できるようにし、それにより端部枠１８を前記垂直姿勢から後退方向に一定角度範囲傾動できるが、前進方向には傾動できないようにしている。
【００２６】
上記のような構成の可動端部枠１８を幅木本体８の長手方向と直交する垂直姿勢にロックするためのロック手段２９は、鉤形状のロックピン３０と円錐台形状のコイルバネ３１とからなるもので、ロックピン３０は、幅木本体８の内側壁８ａに設けた軸孔３２を貫通して軸支される支軸部３３と、この支軸部３３の先端部から幅木本体８の内側壁８ａ外面に沿うように直角に突出した操作用軸部３４と、この操作用軸部３４の先端部から支軸部３３と平行に突出し、垂直姿勢での可動端部枠１８側の取付枠２４と幅木本体８の内側壁８ａとの重合部分に貫設したロック孔３５に対し係脱自在な係止用軸部３６とによって形成され、そして支軸部３３は、上記のように内側壁８ａの軸孔３２に軸支されると共に、幅木本体８の内側壁８ａ裏面に取り付けられた台形状ブラケット３７の台座部３７ａの軸孔３８に軸支されている。
【００２７】
上記ロックピン３０と共にロック手段２９を構成する円錐台形状のコイルバネ３１は、図６の(a) 〜(c) に示すように、幅木本体８の内側壁８ａ裏面に取り付けられた台形状ブラケット３７の台座部３７ａとこの台座部３７ａの軸孔３８に挿通支持されたロックピン３０の支軸部３３の先端部に螺着された取付ナット３９との間に介装されていて、係止用軸部３６が常時ロック孔３５に係入するように支軸部３３に付勢力を付与している。
【００２８】
図４及び図６は、可動端部枠１８が係止片２０（係止手段）の係止凹部２０ａを足場用建枠１の横材３に係止させて幅木本体８に対し垂直姿勢となった状態でロック手段２９によってロックされた状態を示したもので、ロックピン３０の係止用軸部３６がロック孔３５に突入係止されている。このロック状態から、ロックピン３０の操作用軸部３４をコイルバネ３１の付勢力に抗し図４の矢印で示すように手前側に引っ張って、図６の(b) の仮想線図示のように係止用軸部３６をロック孔３５から抜き出した後、図４の仮想線で示すように支軸部３３周りに回転させて、係止用軸部３６を取付枠２４から離れた幅木本体８の内側壁８ａ外面に係止させておくことにより、可動端部枠１８は、ロック解除されて、上端部の枢軸２２を中心に固定端部枠１９側の係止凹部２０ａとの距離を短縮する後退方向に傾動可能な状態となる。
【００２９】
幅木本体８の他端側に取り付けられた端部枠１９は、図５に示すように、幅木本体８の端部に幅木本体８の長手方向と直交する姿勢に固定された固定枠であり、構造は可動端部枠１８と全く同じである。この固定端部枠１９は、図２に示すように、幅木本体８の端面に装着された断面コ字状の端面キャップ２１に背中合わせ状態でリベット（図示せず）で固定されている。
【００３０】
また、各端部枠１８，１９を形成する両側板ａ，ａの夫々の上下端部には、この端部枠１８，１９を介して幅木本体８の端部を持ち上げたり、可動端部枠１８を傾動操作する時に手指を挿入する指挿入孔１５が設けられている。
【００３１】
図２、図４及び図５に示すように、隙間塞ぎ板５の両端側には、後述するように幅木６を複数枚重ね合わせて梱包する時に重ね合わさった幅木本体８の両端部に掛け回す梱包用帯鉄１６を通し入れるための帯鉄通し用切欠部１７が夫々設けられている。この実施形態では、帯鉄通し用切欠部１７は、取付板部１０の両端部を夫々切除することによって形成しているが、取付板部１０の両端部を夫々切除することなく、塞ぎ板本体部９の端部と取付板部１０の端部との境界部分に隙間塞ぎ板５の両端側から切欠溝を切り込むことにより形成してもよい。
【００３２】
上記のように構成される隙間塞ぎ板５付き幅木６を、図１に示すように対向する一対の足場用建枠１，１の横材３，３間に架け渡された幅狭足場板４ｂと両足場用建枠１，１の縦材２，２側との隙間Ｓを塞ぐように設置するには、図２の(b) に示すように隙間塞ぎ板５の取付板部１０を幅木本体８の内側壁８ａにボルト１３止めした状態で、幅木本体８の固定端部枠１９側の一対の係止片２０，２０（係止手段）を一方の足場用建枠１の横材３に係止させた後、ロック手段２９をロック解除した幅木本体８の可動端部枠１８を持ち上げた状態から、この可動端部枠１８側の一対の係止片２０，２０（係止手段）を上方より横材３に押し付けると、可動端部枠１８が板バネ２３の付勢力に抗し枢軸２２を中心に後退方向に傾動して、係止凹部２０ａ，２０ａが横材３に弾接係止し、幅木本体８が起立姿勢に保持されると共に、塞ぎ板本体部９の折り返し縁部９ｏ側が足場板４ｂ上に載置され、この塞ぎ板本体部９によって隙間Ｓが塞がれることになる。
【００３３】
こうして幅木本体８を起立姿勢に保持し、隙間塞ぎ板５によって隙間Ｓを塞いだ後は、可動端部枠１８をロック手段２９によってロックすることにより、可動端部枠１８側に上向きの大きな力が作用しても、可動端部枠１８の後退方向への傾動を阻止できて、不測の事態を回避することができる。
【００３４】
図７の(a) は隙間塞ぎ板５の取付板部１０を幅木本体８の内側壁８ａに取り付ける他の取付方法を示している。この方法にあっては、幅木本体８の内側壁８ａに角孔４０を所要間隔おきに設けると共に、各角孔４０の下辺部の延長線上に切り込み４１を設け、隙間塞ぎ板５の取付板部１０の上端縁には幅木本体８側の角孔４０と対応する位置に、角孔４０に突入可能なＬ字形の係止片４２を突設しておいて、取付けにあたって、図示のように、取付板部１０側の各Ｌ字形係止片４２を幅木本体８側の角孔４０に突入して落とし込んだ後、隙間塞ぎ板５を平行移動させて各係止片４２を切り込み４１に挟み込むことにより、各係止片４２を角孔４０の切り込み４１に固定し、それにより取付板部１０を幅木本体８の内側壁８ａに取り付け固定し、取り外す時には、隙間塞ぎ板５を逆方向に平行移動させて、各Ｌ字形係止片４２を切り込み４１から角孔４０内に引き入れた後、引き抜けことによって、隙間塞ぎ板５をと取り外すことができる。
【００３５】
以上の実施形態では、隙間塞ぎ板５の取付板部１０を幅木本体８の内側壁８ａに取り付けるのに、ボルト１３及びナット１４による方法と、角孔４０、切り込み４１及び係止片４２による方法とを示したが、それ以外に、取付板部１０と幅木本体８の内側壁８ａとに夫々所要間隔にリベット孔を明けて、そこにリベットを圧入して取り付けるようにしてもよく、その場合に隙間塞ぎ板５を取り外す時は、圧入したリベットに前記リベット孔より若干小径の孔をドリルで同心状に穿つことによって、圧入したリベットをリベット孔内で潰した状態でリベット孔から取り出し、隙間塞ぎ板５を取り外すことができる。
【００３６】
図８の(a) は上述した隙間塞ぎ板５付き幅木６を複数枚、例えば４枚重ね合わせて梱包した状態を示す側面図、(b) は同状態の視図である。この梱包にあたっては、各幅木６の幅木本体８どうしを対向させて、端部枠１８，１９どうしを重ね合わせると共に、一つの幅木６のＬ字状隙間塞ぎ板５内に次の幅木６の幅木本体８を嵌め込んだ状態で、これら幅木本体８の両端部に夫々梱包用帯鉄４３を掛け回して梱包するが、この帯鉄４３を各隙間塞ぎ板５の両端部に設けてある帯鉄通し用切欠部１７に通し入れることによって、厚板からなる頑丈な構造の幅木本体８のみを縛って強固に梱包することができる。
【００３７】
また幅木６の梱包にあたって、各隙間塞ぎ板５は、塞ぎ板本体部９と取付板部１０との対向角度θが若干鈍角、好ましくは９１〜９５°程度になるように形成されているため、図８の(a) から分かるように、隙間塞ぎ板５付き幅木６どうしの重ね合わせを的確に行うことができて、コンパクトで安定した積層梱包が可能となると共に、梱包体の外観上の体裁、見栄えも良好となる。
【００３８】
因みに、塞ぎ板本体部９と取付板部１０との対向角度θが９１°程度以下であれば、幅木６を重ね合わせた時に、一つの幅木６に取り付けられた隙間塞ぎ板５の塞ぎ板本体部９上に次の幅木６の幅木本体８が載置されるため、図８に示すように幅木６を横方向に重ねる場合には幅木６を順次重ね合わせていくに従い、幅木本体８が漸次段違い状に斜めにズレ上がって積層されることになり、梱包が不安定で、外観、見栄えも悪くなる。また対向角度θを９５°程度以上にすると、幅木６を重ね合わせていくに従って幅木本体８が漸次段違い状に斜めにズレ下がるため、同様に梱包が不安定で、見栄えも悪くなる。
【００３９】
図９は他の実施形態による隙間塞ぎ板５付き幅木６を示すもので、(a) は同隙間塞ぎ板５付き幅木６の一端部側の使用状態を足場板の内側から見た斜視図、(b) は隙間塞ぎ板５付き幅木６の他端部側の使用状態を足場板の外側から見た斜視図である。
【００４０】
この図９に示される幅木６の幅木本体８の前後各端部には、端部枠５１と、足場用建枠１の横材３に係止されるキャッチガイド５２と、このキャッチガイド５２を横材３に係止させてロックするロック部片５３とが設けられ、キャッチガイド５２は、端部枠５１内で上端部を枢着されて前後方向揺動可能に垂下され、その下端係止部５２ａが横材３の手前側に突入し、ロック部片５３は、幅木本体８の内側壁８ａに上下方向揺動可能に枢着されて、先端側を押し下げることにより、キャッチガイド５２を前方へ押動して、その下端係止部５２ａを横材３に係止させるようになっている。
【００４１】
各端部枠５１は、幅木本体８の前後各端部に取り付け固定されたもので、平面視略Ｕ字状の枠本体５１ａと、平面視略Ｌ字状の取付基部５１ｂとからなり、枠本体５１ａの下端部は、その前端側が側面視円弧状に形成されて、幅木取付時に横材３に係合可能な横材係合部５４を形成している。
【００４２】
キャッチガイド５２は、端部キャップ５１の枠本体５１ａ内に挿入されて、その上端部が枢支軸５７により枠本体５１ａに枢着されて前後方向に揺動可能に垂下され、その下端係止部５２ａが足場用建枠１の横材３に対向位置している。またキャッチガイド５２は、ロック部片５３の先端部５３ａが当接する後端部がテーパｔに形成されているから、ロック部片５３の先端側を押し下げてキャッチガイド５２を押動する時に、そのテーパｔの楔効果によってキャッチガイド５２を横材３に的確且つ強固に押し込むことができる。またキャッチガイド５２の中間部にはその前端側に切欠開口するガイド溝５８が形成されていて、このガイド溝５８には端部キャップ５１に取り付けたガイド軸５９を挿通させ、それによりキャッチガイド５２の揺動をスムーズに行なわせるようにしている。
【００４３】
ロック部片５３は、金属帯板材からなるもので、その板面を幅木本体８の内側壁８ａと平行にした横長形状で、その長手方向中間部が幅木本体８に枢支軸６０により枢着され、この枢着部の後部側には、ロック部片５３の先端側を押し下げ操作するために棒状金具を挿入する円筒状の棒状金具挿入部６１が設けられている。また、ロック部片５３の枢着部より後方側は幅木本体８の内側面に接触した状態にあり、枢着部より前方側は屈曲して幅木本体８の内側面から離れ、このロック部片５３の先端部５３ａは、幅木本体８の内側面と平行に延びて、端部枠５１の取付基部５１ｂに設けられたスリット６３に突入し、キャッチガイド５２の後端面に当接するようになっている。また、ロック部片５３を幅木本体８に枢着する枢支軸６０は、幅木本体８の外側面に取り付けられた取付板５０に取り付けてある。
【００４４】
隙間塞ぎ板５の構造及び幅木本体８への取付方法については、図１〜図４に示される隙間塞ぎ板５付き幅木６と同一であるため、その説明を省略する。
【００４５】
上記のように構成される隙間塞ぎ板５付き幅木６を、図１に示すように対向する一対の足場用建枠１，１の横材３，３間に架け渡された幅狭足場板４ｂと両足場用建枠１，１の縦材２，２側との隙間Ｓを塞ぐように設置するには、幅木本体８の前後各端部枠５１内にあるキャッチガイド５２（係止手段）の下端係止部５２ａを足場用建枠１の横材３の手前側に垂下させると共に、端部枠５１の枠本体５１ａ下端部の横材係合部５４が横材３上に係合させる。この後、前上がり姿勢にあるロック部片５３の棒状金具挿入部６１に適当な棒状金具を挿入してこじることによりロック部片５３の先端部を押し下げ、あるいはロック部片５３の中間部６４（図９の(a) 参照）をハンマーで上から叩いてロック部片５３の先端部を押し下げ、それによりロック部片５３の先端部５３ａがキャッチガイド５２を前方へ押動する。
【００４６】
上記のようにして幅木本体８の前後両端部枠５１，５１内にあるキャッチガイド５２，５２の先端部を夫々押動して、それら下端係止部５２ａ，５２ａを対向する一対の足場用建枠１，１の横材３，３横材３に係止させ、キャッチガイド５２，５２をロックすることにより、幅木本体８を起立姿勢に保持すると共に、塞ぎ板本体部９の折り返し縁部９ｏ側を足場板４上に載置し、この塞ぎ板本体部９によって隙間Ｓを塞ぐことができる（図９の(a) 参照）。
【００４７】
幅木６を取り外すときは、ロック部片５３の棒状金具挿入部６１に棒状金具を挿入してこじながらロック部片５３の先端側を押し上げるか、又は棒状金具挿入部６１をハンマー等で上から叩いてロック部片５３の先端側を押し上げれば、キャッチガイド５２の下端係止部５２ａが足場用建枠１の横材３から離脱して、ロック解除状態となるから、幅木本体８をそのまま持ち上げるだけで、隙間塞ぎ板５と共に足場板４から簡単容易に取り外すことができる。
【００４８】
上述した実施形態では、幅木６として、幅木本体８の両端部に端部枠１８，１９を設け、各端部枠１８，１９に係止片２０（係止手段）を備えたもの、また幅木本体８の端部枠５１，５１を設け、各端部枠５１にキャッチガイド５２（係止手段）を備えたたものについて説明したが、幅木６としては、幅木本体８の両端部に端部枠を設けることなく、幅木本体８の両端部に、足場用建枠１の横材３に係止可能な係止フック（係止手段）を直接取り付けたものでもよい。
【００４９】
１              足場用建枠
２              足場用建枠の縦材
３              足場用建枠の横材
４，４ａ，４ｂ  足場板
５              隙間塞ぎ板
Ｓ              隙間
６              幅木
８              幅木本体
８ａ            幅木本体の内側壁
９              塞ぎ板本体部
１０            取付板部
１７            帯鉄通し用切欠部
１８，１９      端部枠
２０            係止片（係止手段）
４３            梱包用帯鉄
５１            端部枠
５２            キャッチガイド（係止手段）
【図１】
2011032687.tif 000003
【図２】
2011032687.tif 000004
【図３】
2011032687.tif 000005
【図４】
2011032687.tif 000006
【図５】
2011032687.tif 000007
【図６】
2011032687.tif 000008
【図７】
2011032687.tif 000009
【図８】
2011032687.tif 000010
【図９】
2011032687.tif 000011